(57)【要約】【課題】皿ユニットに貯留された遊技球の球抜き作業を円滑に遊技者に行わせることで、遊技者にとって興趣のある遊技機を提供する。【解決手段】皿ユニット１６上に貯留された遊技球Ｂａの重量を測定する重量計９４ａによって測定された遊技球Ｂａの重量に応じて、皿ユニット１６に視認可能に配置された複数のＬＥＤ９５の発光を変化させる発光制御手段は、遊技球Ｂａを抜くタイミングを遊技者に分かり易く報知するので、遊技者が遊技に集中しながらも球抜き作業を忘れずに円滑に遊技を行うことができ、遊技の趣向性を高めることができる。【選択図】図２
2007252839.tif 000002
【特許請求の範囲】
【請求項１】
枠体状の筐体と、遊技盤を支持した形で前記筐体に開閉可能に支持される前扉と、前記前扉に配置された球受け皿とを備え、前記遊技盤の遊技領域に遊技球を打ち出して遊技する遊技機において、
前記球受け皿に視認可能に配置された複数の発光体と、
前記球受け皿に配置されて、該球受け皿上に貯留された遊技球の重量を測定する球重量測定手段と、
前記球重量測定手段によって測定された遊技球重量に応じて、前記複数の発光体の発光を変化させる発光制御手段と、
を備えることを特徴とする遊技機。
【請求項２】
前記発光制御手段は、前記複数の発光体の発光させる数を制御してなる、
請求項１記載の遊技機。
【請求項３】
前記発光制御手段は、前記複数の発光体の発光強度を変化させてなる、
請求項１又は２記載の遊技機。
【請求項４】
前記発光制御手段は、前記複数の発光体の色調を変化させてなる、
請求項１ないし３のいずれか１項記載の遊技機。
【請求項５】
前記球受け皿に、貯留された遊技球の高さを検知する圧力センサを有し、
前記発光制御手段は、前記圧力センサの検出信号に基づき前記遊技球の総重量を算出してなる、
請求項１ないし４のいずれか１項記載の遊技機。
【発明の詳細な説明】
【技術分野】
【０００１】
本発明は、パチンコ機等の遊技機に関し、詳しくは、球受け皿に遊技球を貯留することを防ぐように構成された遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技領域の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる。
【０００４】
上述のようなパチンコ機において、貸球時や大当たり時に多量の遊技球が球受け皿に払い出された際、遊技者は遊技に集中していて球抜き作業を忘れがちであり、球抜き作業をせずにそのままにしてしまうと、遊技球が球受け皿に貯留し、溢れ出してしまうことがある。このような状況を鑑みて、所定量の遊技球が球受け皿に貯留した場合、遊技球を払い出しを中止しているパチンコ機が知られている（例えば、特許文献２参照）。
【０００５】
【特許文献１】特開２００３−２３６２１０号公報
【特許文献２】特開２００６−０００３１３号公報
【発明の開示】
【発明が解決しようとする課題】
【０００６】
しかしながら、上述のようなパチンコ機では、遊技球の払い出しが中止される場合があるので、特に大当たり時、多量に貯まった遊技球を思い切り抜くことを快感としている遊技者にとっては、物足りなく、単調すぎて遊技に飽きてしまう虞があった。
【０００７】
そこで本発明は、遊技球の球抜き作業がなされずに遊技球が球受け皿に貯留しても、遊技球の払い出しを制御することなく、予め余裕をもった位置を検知して、球抜き作業をするように遊技者に報知することで、遊技に集中しながらも、球抜き作業を忘れずに、また球抜き作業をすることで、喜悦感をより増幅させるような演出性を提供できるように構成し、もって上述した課題を解決した遊技機を提供することを目的とするものである。
【課題を解決するための手段】
【０００８】
請求項１に係る本発明は（例えば、図１ないし図４参照）、枠体状の筐体（６）と、遊技盤（３）を支持した形で前記筐体（６）に開閉可能に支持される前扉（７）と、前記前扉（７）に配置された球受け皿（１６）とを備え、前記遊技盤（３）の遊技領域（３ａ）に遊技球（Ｂａ）を打ち出して遊技する遊技機（１）において、
前記球受け皿（１６）に視認可能に配置された複数の発光体（９５）と、
前記球受け皿（１６）に配置されて、該球受け皿（１６）上に貯留された遊技球（Ｂａ）の重量を測定する球重量測定手段（９４ａ，９４ｂ，９４ｃ）と、
前記球重量測定手段（９４ａ，９４ｂ，９４ｃ）によって測定された遊技球重量に応じて、前記複数の発光体（９５）の発光を変化させる発光制御手段（９３）と、
を備えることを特徴とする遊技機（１）にある。
【０００９】
請求項２に係る本発明は（例えば、図１及び図４参照）、前記発光制御手段（９３）が、前記複数の発光体（９５）の発光させる数を制御してなる、
請求項１記載の遊技機（１）にある。
【００１０】
請求項３に係る本発明は（例えば、図１及び図４参照）、前記発光制御手段（９３）が、前記複数の発光体（９５）の発光強度を変化させてなる、
請求項１又は２記載の遊技機（１）にある。
【００１１】
請求項４に係る本発明は（例えば、図１及び図４参照）、前記発光制御手段（９３）が、前記複数の発光体（９５）の色調を変化させてなる、
請求項１ないし３のいずれか１項記載の遊技機（１）にある。
【００１２】
なお、本発明における上記「色調」は、色相（色あいの違い）、明度（明るさの度合い）、及び彩度（鮮やかさの度合い）を含む複合的な概念である。
【００１３】
請求項５に係る本発明は（例えば、図１及び図７参照）、前記球受け皿（１６）に、貯留された遊技球（Ｂａ）の高さを検知する圧力センサ（９４ｃ）を有し、
前記発光制御手段（９３）は、前記圧力センサ（９４ｃ）の検出信号に基づき前記遊技球（Ｂａ）の総重量を算出してなる、
請求項１ないし４のいずれか１項記載の遊技機（１）にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、発光制御手段は、球重量測定手段によって測定された球受け皿上に貯留された遊技球重量に応じて、球受け皿に視認可能に配置された複数の発光体の発光を変化させるので、遊技に没頭している遊技者がつい忘れがちな球抜き作業を、球が溢れ出してしまう前に確実に、かつわかりやすく遊技者に報知することができる。そして、球重量測定手段が重量計からなるので、容易にかつ正確に球量を測ることができる。
【００１６】
請求項２に係る本発明によると、発光制御手段が、複数の発光体の発光させる数を制御するので、遊技者は発光体が発光している数のみの視認により、遊技球が溢れ出すリミットを容易に認識することができる。
【００１７】
請求項３に係る本発明によると、発光制御手段が、複数の発光体の発光強度を変化させるので、遊技者は発光体の光の強さのみの視認により、遊技球が溢れ出すリミットを容易に認識することができる。
【００１８】
請求項４に係る本発明によると、発光制御手段が、複数の発光体の色調を変化させるので、遊技者は発光体の色調のみの視認により、遊技球が溢れ出すリミットを容易に認識することができる。
【００１９】
請求項５に係る本発明によると、発光制御手段は、貯留された遊技球の高さを検知する圧力センサの検出信号に基づき遊技球の総重量を算出するので、遊技者によりわかりやすく球抜き作業のタイミングを報知することができる。
【発明を実施するための最良の形態】
【００２０】
以下、本発明に係る遊技機の実施形態として、遊技場等に設置されるパチンコ機を図面に沿って説明する。図１は本発明に係る実施の形態におけるパチンコ機の外部構造を示す正面図である。なお、以下に説明する実施の形態では、本発明の遊技機を所謂第１種特別電動役物を使用したパチンコ機として述べるが、本発明はこれに限らず、所謂第２種特別電動役物や所謂第３種特別電動役物を使用したパチンコ機等にも適用可能であることは勿論である。
【００２１】
＜第１の実施形態＞
本実施形態のパチンコ機１は、図１に示すように、発射ハンドル２の操作による発射装置（図示せず）の作動で遊技球（所謂パチンコ玉）Ｂａを遊技盤３の遊技領域３ａに向かって打ち出しつつ遊技を行うもので、所謂確率変動等の大当たりが発生した状態でアタッカー５に入球した遊技球Ｂａに対応する数の遊技球Ｂａを払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。遊技者は大当たりを目指してハンドル操作を繰り返す。
【００２２】
本パチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配置されている。前扉７における遊技盤３の左右には演出用照明装置１１が配置されており、前扉７における上部左右、及び下部の皿ユニット１６の左右には夫々、スピーカ（図示せず）を有する放音装置１２が配置されている。そして、前扉７の上部における放音装置１２の間には、電飾装置８が配置されている。
【００２３】
また、ガラス枠１０における中央部右方には、前扉７を筐体６側に施錠又は解放し、或いは、ガラス枠１０を前扉７側に施錠又は解放するための施錠装置１３が配置されている。なお、図１中の符号１４は、不図示の発射装置によって打ち出された遊技球を遊技盤３側に案内するガイドレールを示している。本パチンコ機１には、遊技中に遊技領域３ａにて入賞することなく落下してアウト口（図示せず）に進入した遊技球Ｂａをパチンコ機１の背面側に導くアウト球通路（図示せず）が設けられている。
【００２４】
そして、前扉７における下部中央には皿ユニット（球受け皿）１６が設けられており、皿ユニット１６における右上部には、賞球及び貸球を含む遊技球Ｂａが供給される球供給口１７が設けられ、皿ユニット１６における右上部壁面には、球貸ボタン１９ａ及びプリペイドカード返却ボタン１９ｂが設けられている。皿ユニット１６の中央部には、該皿ユニット１６上の遊技球を球発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが配置されている。
【００２５】
また、前扉７における皿ユニット１６の右側下方には、上記球発射装置を操作して遊技球を遊技盤３に向けて打ち出すための発射ハンドル２が設けられている。更に、皿ユニット１６の下部左方の操作台部１８には、灰皿２１と、遊技者参加用の操作ボタン２２（以下、遊技参加ボタンとも言う）とが配置されている。更に、前扉７における遊技盤３の左右下方には演出用照明装置１１，１１が配置されており、前扉７における遊技盤３の左右上方には放音装置１２，１２が配置されている。なお、筐体６及び前扉７等から遊技機本体が構成される。
【００２６】
また、遊技領域３ａの中央部分には、遊技球ステージＳを有するセンター飾り２３が配設されている。センター飾り２３の下部左右には、大当たり抽選に寄与しない一般の入賞が行われる入賞口２５，２６が配設されており、センター飾り２３の直下方には、始動チャッカー２７と、アタッカー５とが順次配設されている。またセンター飾り２３は、遊技球ステージＳの前壁中央に、該ステージＳ上の遊技球の一部を始動チャッカー２７に導くための球放出口４９を有している。
【００２７】
始動チャッカー２７は、大当たり抽選実行の契機となり得る入賞が行われるものであり、開放位置と閉止位置とに開閉動作するように始動チャッカー開閉ソレノイド６９（図４参照）によって作動させられる。始動チャッカー２７の直上方には、所謂命釘としての一対の障害釘３０が打ち込まれている。
【００２８】
アタッカー５は、大当たり発生時に開放され、遊技盤３の遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００２９】
遊技領域３ａには、センター飾り２３の四方に風車３１が配設されており、遊技球ステージＳの下方における始動チャッカー２７の左側には、スルーゲート３２が配設されている。このスルーゲート３２は、始動チャッカー２７を開閉動作させるための抽選の契機となる遊技球通過が行われる役物である。
【００３０】
遊技領域３ａにおけるスルーゲート３２、入賞口２５，２６及び始動チャッカー２７等の周囲には、遊技球ステージＳから零れた遊技球や、発射されてから遊技球ステージＳに関与せずに落下してくる遊技球を適宜散らし、或いは入球に導くようにするための障害釘３３を含む多数の障害釘が打ち込まれている。
【００３１】
上記センター飾り２３は、その中央部に、遊技盤３側に固定された画像表示装置３５を露出する開口３６を有し、且つ左上部に、放出口６７に連通するワープ導入口３７を有しており、このワープ導入口３７に対向するように一対の障害釘３９が打ち込まれている。また、画像表示装置３５は、液晶ディスプレイ等を用いて動画や静止画表示による演出を行う。ワープ導入口３７の周囲や上方側にも、遊技球Ｂａを適宜散らし、或いは入球に導くようにするための多数の障害釘（図示せず）が打ち込まれている。このような本パチンコ機１では、遊技領域３ａに打ち出された遊技球Ｂａを始動チャッカー２７等に、遊技球ステージＳを介して入球させ又は遊技球ステージＳを介さず直接入球させ得るように遊技が進められる。
【００３２】
なお、本実施形態における「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球Ｂａを始動チャッカー２７方向に導く役割を担っている。
【００３３】
ここで、本発明の特徴である皿ユニット１６及びその周辺構造について、図２を用いて詳細に説明する。図２は、皿ユニット及び重量計の位置を示す図で、（ａ）は正面図、（ｂ）は同図（ａ）のＡ−Ａ線による平面断面図で第１の重量計を示す図である。
ある。
【００３４】
図２（ａ）に示すように、皿ユニット１６は、遊技者に視認可能な皿の周囲位置に複数のＬＥＤ（発光体）９５を有する。ＬＥＤ９５は、後述する発光制御手段９３により、発光するＬＥＤの数や発光強度、色調が変化自在になっている。
【００３５】
図２（ｂ）に示すように、皿ユニット１６を支持する形で遊技盤３の内部には第１の重量計（球重量測定手段）９４ａが備えられている。図示のように皿ユニット１６が遊技盤３にぶら下がった状態になっており、遊技球Ｂａが貯まるにつれて重量計９４ａのバネ（不図示）が伸びて遊技球Ｂａの量を測定可能にしている。
【００３６】
第１の重量計９４ａによって測定された結果は、信号として発光制御手段９３に送られ、発光制御手段９３は、その結果に応じて、複数のＬＥＤ９５を発光される数を制御したり、発光強度、色調をも変化させる。これにより、遊技者は、遊技に夢中になって、球抜き作業を忘れそうになっても目立った報知方法で、遊技球Ｂａが溢れ出すことを防ぐことができる。
【００３７】
ついで、本パチンコ機１の背面構造について図３を参照して説明する。同図は、本パチンコ機１の背面構造を示す背面図である。
【００３８】
すなわち、図３に示すように、パチンコ機１の前扉背面における上部左方には、賞球タンク４３が取り付けられており、この賞球タンク４３の下方に、サブ制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００３９】
次に、本実施形態におけるパチンコ機１の制御系を図４に沿って説明する。なお、同図は本パチンコ機の制御系を示すブロック図である。また、同図では、後述する第２及び第３の実施の形態で用いられる第２の重量計９４ｂ及び圧力センサ９４ｃを、便宜上、併せて記載している。
【００４０】
すなわち、本制御系は、遊技制御装置８０と、該遊技制御装置８０に電気的に接続された、始動チャッカー開閉ソレノイド６９、アタッカー開閉ソレノイド７０、放音装置１２、演出用照明装置１１、画像表示装置３５、賞球装置４６、重量計９４ａ，９４ｂ、圧力センサ９４ｃ、及びＬＥＤ９５と、を備えている。
【００４１】
遊技制御装置８０は、図３に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００４２】
遊技制御装置８０は、入賞判定手段８１、入賞信号出力手段８２、抽選手段８３、遊技制御手段８６、保留手段８７、作動制御手段８８、作動判定手段８９、作動決定手段９０、演出制御手段９１、表示制御手段９２、及び発光制御手段９３を備えている。
【００４３】
入賞判定手段８１は、発射ハンドル２の操作で作動する発射装置（図示せず）によって遊技領域３ａに打ち出された遊技球が始動チャッカー２７、入賞口２５，２６、アタッカー５等の何れかに入賞したとき、当該入賞があった旨を判定する。
【００４４】
入賞信号出力手段８２は、入賞判定手段８１によって入賞が判定されたとき、対応する始動チャッカー２７、入賞口２５，２６、アタッカー５等に入賞した旨の入賞信号を出力する。
【００４５】
抽選手段８３は、入賞信号出力手段８２からの始動チャッカー２７に対応する入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００４６】
抽選手段８３は、大当たり抽選で確変当たりに当選した場合、不図示の演出用メモリに格納された演出乱数値に基づく抽選で、変動の結果、確変当たりに対応する「１１１」、「３３３」や「７７７」等の図柄が画像表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。抽選手段８３はまた、大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、その旨の変動パターン信号を出力する。抽選手段８３は更に、大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、その旨の変動パターン信号を出力する。
【００４７】
遊技制御手段８６は、放音装置１２、演出用照明装置１１に放音、発光の演出をさせる契機となる指令を、演出制御手段９１に送信する。また、遊技制御手段８６は、遊技参加ボタン２２を用いた遊技者参加型の演出を行わせるか否かを、予め登録（格納）された演出用乱数等を用いた抽選で無作為に決定し、これを行わせると決定した際には、後述する表示制御手段９２へその旨の信号を送信する。
【００４８】
保留手段８７は、抽選手段８３から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球として点灯表示される。なお、保留球として点灯表示される保留球数は上記「最大４個」に限らず、例えば３個以下、又は５個以上として適宜設定することも可能である。
【００４９】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が４個未満となった場合、抽選手段８３で行われる始動チャッカー２７への入賞に応答した大当たり抽選の結果を保留球として記憶し、保留球数を１インクリメントする。
【００５０】
作動制御手段８８は、作動決定手段９０の作動開始決定の旨の信号に基づき、始動チャッカー開閉ソレノイド６９に駆動信号を送って該ソレノイド６９を作動させて始動チャッカー２７を開放又は閉塞動作させる。更に作動制御手段８８は、アタッカー開閉ソレノイド７０に駆動信号を送って該ソレノイド７０を作動させ、抽選手段８３での抽選による大当たり発生時にアタッカー５を開放して所定数入賞が終了する（又は所定時間が経過する）毎に閉塞する動作を所定回数（所定ラウンド）だけ繰り返すように制御する。
【００５１】
作動判定手段８９は、始動チャッカー開閉ソレノイド６９及びアタッカー開閉ソレノイド７０を作動させるための条件を満たすか否かを判定する。つまり、始動チャッカー開閉ソレノイド６９にあって、始動チャッカー２７の開閉の「条件を満たす」時とは、抽選手段８３の大当たり抽選とは別途行われる抽選で当選した場合である。アタッカー開閉ソレノイド７０にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００５２】
作動決定手段９０は、作動判定手段８９からの判定信号を受けて、始動チャッカー開閉ソレノイド６９、アタッカー開閉ソレノイド７０の作動開始を夫々に決定する。
【００５３】
演出制御手段９１は、遊技制御手段８６からの指令に応答して、放音装置１２を放音駆動し、演出用照明装置１１を発光駆動して遊技者の聴覚や視覚に訴える演出を行う。
【００５４】
表示制御手段９２は、遊技制御手段８６からの信号に従って、画像表示装置３５を駆動し、大当たり抽選結果を中心とした内容等の演出を、遊技者の視覚に訴えるように演出表示する。その際、表示制御手段９２は、抽選手段８３による各抽選結果を、遊技制御手段８６からの信号に従い、画像表示装置３５に演出表示する。
【００５５】
発光制御手段９３は、第１の重量計９４ａによって測定された結果に応じて、皿ユニット１６の周囲に備えられた複数のＬＥＤ９５を発光させる数を制御する。例えば遊技球Ｂａの重量（総重量）が軽い場合はＬＥＤ９５を一つ発光させ、遊技球Ｂａが皿ユニット１６から溢れ出そうなくらい重い重量の場合はＬＥＤ９５を全て発光させたりできる。また、発光制御手段９３は、ＬＥＤ９５の発光強度も制御可能であり、例えば、遊技球Ｂａの重量（総重量）が軽い場合はＬＥＤ９５を暗く発光させ、遊技球Ｂａが皿ユニット１６から溢れ出そうなくらい重い重量の場合はＬＥＤ９５を明るく発光させたりできる。更に、発光制御手段９３は、ＬＥＤ９５の色調も制御することが可能であり、例えば遊技球Ｂａの重量が軽い場合はＬＥＤ９５を黒や灰色の目立たない色で発光させ、遊技球Ｂａが皿ユニット１６から溢れ出そうなくらい重い重量（総重量）の場合はＬＥＤ９５を赤や青の原色カラーで発光させたりできる。これにより、遊技者は、遊技に夢中になって、球抜き作業を忘れそうになっても目立った報知方法で、球が溢れ出すことを防ぐことができる
【００５６】
始動チャッカー開閉ソレノイド６９は、作動制御手段９０から送信された駆動信号に応答してプランジャ（図示せず）を進退動作させて、始動チャッカー２７を開閉動作させる。
【００５７】
アタッカー開閉ソレノイド７０は、作動制御手段８８から送信された駆動信号に応答してプランジャ（図示せず）を進退動作させて、アタッカー５を開閉動作させる。
【００５８】
放音装置１２は、演出制御手段９１の制御に従ってスピーカ（図示せず）を駆動させ、演出に応じた効果音を発する。演出用照明装置１１は、演出制御手段９１の制御に従ってその内蔵する電飾ランプ（図示せず）を発光駆動（点灯、点滅）させ、演出に応じた照明を行う。画像表示装置３５は、表示制御手段９２の制御に従って作動し、演出データや抽選手段８３での抽選結果に応じた演出表示を行う。
【００５９】
賞球装置４６は、作動制御手段８８により作動制御されて、始動チャッカー２７、入賞口２５，２６、アタッカー５それぞれへの入賞に対応する賞球数を供給する。
【００６０】
次に、本パチンコ機１による作用について、図５のフローチャートを併せて参照しつつ説明する。
【００６１】
すなわち、本パチンコ機１に対面して着座した遊技者が発射ハンドル２を握り、適宜の角度に回動操作すると（ステップＳ１）、発射装置（図示せず）の作動によって遊技球Ｂａが所定の時間間隔で遊技領域３ａに向けて連続的に発射される。すると、遊技領域３ａに打ち出されて転動落下する多数の遊技球Ｂａは、始動チャッカー２７や入賞口２５，２６に適時入賞し、或いは、これらに関与せずに転動落下して、遊技領域３ａ最下部のアウト口（図示せず）から遊技盤３背面側に排出される。
【００６２】
つまり、遊技領域３ａに向けて打ち出された多数の遊技球Ｂａは、その一部がワープ導入口３７から導入されて遊技球ステージＳ上に放出され、その一部が球放出口４９から放出されて始動チャッカー２７に向け落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球Ｂａは、始動チャッカー２７と異なる方向に向かう。この際、当該遊技球Ｂａは、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入球することもある。
【００６３】
ところで、上述したように始動チャッカー２７や入賞口２５，２６の何れかに遊技球が入賞した場合、入賞判定手段８１が当該入賞を判定し、且つ入賞信号出力手段８２が入賞信号を出力する（ステップＳ２）。この際、保留手段８７は、保留球Ｈが０＜Ｈ＜５であるか否かを常時判定しており、０＜Ｈ＜５を満たすと判定したときには、保留している変動パターン信号を、遊技制御手段８６を介して表示制御手段９２に順次送信し、図柄変動禁止フラグをオンすると共に、図柄変動タイマをセットし、変動パターン信号の送信に応じて保留球数を１デクリメントする。また保留手段８７は、当該保留球の消費に応じて保留球数ＨがＨ＜４となった場合、抽選手段８３で行われる始動チャッカー２７への入賞に応じた大当たり抽選の結果を保留球として記憶し、保留球数を１インクリメントする。
【００６４】
そして、大当たり抽選で当選した場合（ステップＳ３）、抽選手段８３は、当たりフラグをオンすると、演出用メモリに格納された演出乱数値に基づく抽選で、大当たりの種別、つまり確変当たり又は通常当たりに対応する変動パターンを決定する。
【００６５】
これにより、ステップＳ４において、画像表示装置３５に表示されるべき当たり図柄がセットされ、抽選手段８３が、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、抽選手段８３は、その旨の変動パターン信号を出力すると共に、図柄変動禁止フラグをオンし、図柄変動タイマをセットし、変動パターン信号の送信に応じて保留球数を１デクリメントする。
【００６６】
以上のようにして、遊技制御手段８６が、画像表示装置３５に表示すべき演出内容に関する信号を表示制御手段９２に送信することに基づき、表示制御手段９２が、画像表示装置３５を適時駆動し、大当たり抽選結果に関する内容等を、遊技者の視覚に訴えるように演出表示することとなる（ステップＳ５）。
【００６７】
そして、例えば、画像表示装置３５の大当たり有効ライン上で３つの同図柄が揃った場合、作動制御手段８８は、作動決定手段９０の作動開始決定の旨の信号に基づき、所定のタイミングでアタッカー開閉ソレノイド７０に駆動信号を送り、当該ソレノイド７０を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００６８】
その際、遊技者は喜悦感が増幅し、遊技に夢中になって球抜き作業を忘れがちであるが、発光制御手段９３が、第１の重量計９４ａで測定された遊技球Ｂａの重量（総重量）に応じて、ＬＥＤ９５の発光を変化させるので、つい忘れがちな球抜き作業を、遊技球Ｂａが溢れ出してしまう前に確実に、かつわかりやすく遊技者に報知することができる。更に、発光制御手段９３が、複数のＬＥＤ９５の発光させる数を制御するので、遊技者はＬＥＤ９５が発光している数のみの視認により、遊技球が溢れ出すリミットを認識することができる。また、球重量測定手段に重量計９４ａを用いたので、容易にかつ正確に球重量を測ることができる。また、発光制御手段９３が、複数のＬＥＤ９５の発光強度を変化させる場合、遊技者はＬＥＤ９５の光の強さのみの視認により、遊技球が溢れ出すリミットを認識することができる。更に、発光制御手段９３が、複数のＬＥＤ９５の色調を変化させる場合、遊技者はＬＥＤ９５の色調のみの視認により、遊技球が溢れ出すリミットを認識することができる。
【００６９】
なお、ＬＥＤ９５に、フルカラーＬＥＤを採用すれば、明るさと共に色彩も変化させることができ、より遊技者の注目を集めることができる。このフルカラーＬＥＤとは、赤、緑、青（ＲＧＢ）の光３原色を単一のパッケージ内に収容したもの、つまり、ＲＧＢを組み合わせた赤、緑、青に加えて赤紫、白、水色、黄色を有し、且つこれらに階調を加えたタイプのＬＥＤを意味する。
【００７０】
＜第２の実施の形態＞
ついで、図６を参照して、本発明に係る第２の実施の形態について説明する。図６は本発明に係る第２実施形態における皿ユニット及び重量計の位置を示す図で、（ａ）は正面図、（ｂ）は同図（ａ）のＢ−Ｂ線による平面断面図で第２の重量計を示す図ある。なお、本実施形態において上述の第１の実施形態と同様な部分は、同一符号を付してその説明を省略する。
【００７１】
図６（ａ）に示すように、本実施形態は、第１の実施形態における第１の重量計９４ａに代えて、第２の重量計（球重量測定手段）９４ｂ（図４も併せて参照）を使用したものであり、その他の構成は略々同様である。
【００７２】
皿ユニット１６は、遊技者に視認可能な皿の周囲位置に複数のＬＥＤ（発光体）９５を有する。ＬＥＤ９５は、後述する発光制御手段９３により、発光するＬＥＤの数や発光強度、色調が変化自在になっている。
【００７３】
図６（ｂ）に示すように、皿ユニット１６を支持する形で皿ユニット１６の底部には重量計（球重量測定手段）９４ｂが備えられている。重量計９４ｂは、測定した遊技球Ｂａの重量（総重量）を発光制御手段９３に送信し、発光制御手段９３は、その結果に応じて、複数のＬＥＤ９５を発光される数を制御したり、発光強度、色調をも変化させる。
【００７４】
以上説明したように、本第２の実施形態によれば、第１の実施形態と同様、遊技者が遊技に夢中になって球抜き作業を忘れそうになっても、発光制御手段９３による目立った報知方法により、遊技球Ｂａが溢れ出すことを防ぐことができる。
【００７５】
＜第３の実施の形態＞
ついで、図７を参照して、本発明に係る第３の実施の形態について説明する。図７は本発明に係る第３実施形態における皿ユニット及び圧力センサを示す正面図である。なお、本実施形態において上述の第１の実施形態又は第２の実施形態と同様な部分は、同一符号を付してその説明を省略する。
【００７６】
図７に示すように、本実施形態は、第１の実施形態における第１の重量計９４ａ、又は第２の実施形態のおける第２の重量計９４ｂに代えて、圧力センサ（球重量測定手段）９４ｃ（図４も併せて参照）を使用したものであり、その他の構成は略々同様である。
【００７７】
皿ユニット１６は、遊技者に視認可能な皿の周囲位置に複数のＬＥＤ（発光体）９５を有する。ＬＥＤ９５は、後述する発光制御手段９３により、発光するＬＥＤの数や発光強度、色調が変化自在になっている。
【００７８】
皿ユニット１６の内部には、圧力センサ９４ｃが備えられている。該圧力センサ９４ｃは、貯留された遊技球Ｂａの高さを検知できるように、皿ユニット内の左右端部の内壁における上下方向に所定距離をあけて順次配置されている。本実施形態では、圧力センサ９４ｃは左右夫々３つずつ、計６個配設されており、下から順に９４ｃ１と９４ｃ２、及び９４ｃ３と９４ｃ４、及び９４ｃ５と９４ｃ６が夫々対になっていて、左右両方の圧力センサが検知信号を発したらその高さまで遊技球Ｂａが貯まっている状態と判定する。
【００７９】
例えば、圧力センサ９４ｃ１，９４ｃ２が検知信号を発した場合、発光制御手段９３は、皿ユニット１６の底辺が遊技球Ｂａで埋め尽くされた状態であるとみなし、圧力センサ９４ｃ１，９４ｃ２で検知された遊技球Ｂａの高さで皿ユニット１６内に貯留され得る遊技球個数（予め算定してデータとして記憶されている個数）に、予め規格で定められている遊技球１個の重量を乗算し、現在貯留されている遊技球Ｂａの重量を算出する。また、９４ｃ１，９４ｃ２，９４ｃ３，９４ｃ４の４つの検知センサが検知信号を発した場合、発光制御手段９３は、遊技球Ｂａが皿ユニット１６の中間の高さまで貯まってきていると判定し、上述と同様、現在貯留されている遊技球Ｂａの重量を算出する。更に、９４ｃ１，９４ｃ２，９４ｃ３，９４ｃ４，９４ｃ５，９４ｃ６の全ての圧力センサが信号を発した場合、発光制御手段９３は、遊技球Ｂａが皿ユニット１６の上面まで貯まってきていると判定し、現在貯留されている遊技球Ｂａの重量を算出する。
【００８０】
そして、発光制御手段９３は、遊技球重量の上記算出結果に応じて、複数のＬＥＤ９５のうちの発光させる数を制御したり、発光強度、色調をも変化させる。
【００８１】
以上説明したように、本第３の実施形態によれば、第１の実施形態、第２の実施形態と同様、遊技者が遊技に夢中になって球抜き作業を忘れそうになっても、発光制御手段９３による目立った報知方法により、遊技球Ｂａが溢れ出すことを防ぐことができる。また、貯留された遊技球の高さを検知する圧力センサ９４ｃの検出信号に基づき遊技球の重量を算出するので、遊技者によりわかりやすく球抜き作業のタイミングを報知することができる。
【００８２】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００８３】
【図１】本発明に係る実施の形態におけるパチンコ機の外部構造を示す正面図である。
【図２】本発明に係る第１実施形態における皿ユニット及び重量計の位置を示す図で、（ａ）は正面図、（ｂ）は同図（ａ）のＡ−Ａ線による平面断面図で第１の重量計を示す図ある。
【図３】本実施形態におけるパチンコ機の背面構造を示す背面図である。
【図４】本実施形態におけるパチンコ機の制御系を示すブロック図である。
【図５】本パチンコ機の作用を説明するためのフローチャートである。
【図６】本発明に係る第２実施形態における皿ユニット及び重量計の位置を示す図で、（ａ）は正面図、（ｂ）は同図（ａ）のＢ−Ｂ線による平面断面図で第２の重量計を示す図ある。
【図７】本発明に係る第３実施形態における皿ユニット及び圧力センサを示す正面図である。
【符号の説明】
【００８４】
１  ：遊技機（パチンコ機）
３  ：遊技盤
３ａ：遊技領域
６  ：筐体
７  ：前扉
１６  ：球受け皿（皿ユニット）
９３  ：発光制御手段
９４ａ：球重量測定手段（第１の重量計）
９４ｂ：球重量測定手段（第２の重量計）
９４ｃ：球重量測定手段（圧力センサ）
９５  ：発光体
Ｂａ  ：遊技球
【図１】
2007252839.tif 000003
【図２】
2007252839.tif 000004
【図３】
2007252839.tif 000005
【図４】
2007252839.tif 000006
【図５】
2007252839.tif 000007
【図６】
2007252839.tif 000008
【図７】
2007252839.tif 000009